(57)【特許請求の範囲】
【請求項１】
本体と、該本体の上面に設けられたプレートと、該プレートの外周を保護するプレート枠と、前記プレート下面に配置し静電式のタッチキー方式による入力部品を有した操作表示基板と、前記プレートの下面外周を保持し一体で有した支持部で前記操作表示基板を固定する保持部材と、を備えた加熱調理器において、
前記プレートには前記入力部品の位置を示す操作部表示と目印とを印刷して設け、前記
保持部材には前記目印と位置合わせする所定位置を設け、前記目印は、前記プレート枠で覆われ外観に出ないことを特徴とする加熱調理器。
【請求項２】
本体と、該本体の上面に設けられたプレートと、該プレートの外周を保護するプレート枠と、前記プレート下面に配置し点灯する発光部品を有した操作表示基板と、前記プレートの下面外周を保持し一体で有した支持部で前記操作表示基板を固定する保持部材と、を備えた加熱調理器において、
前記プレートには前記発光部品の位置を示す発光部表示と目印とを印刷して設け、前記
保持部材には前記目印と位置合わせする所定位置を設け、前記目印は、前記プレート枠で覆われ外観に出ないことを特徴とする加熱調理器。
【発明の詳細な説明】
【技術分野】
【０００１】
本発明は、鍋などの被加熱物を載置するガラス製のプレートにタッチ式の入力部と表示部を備えた加熱調理器に関するものである。
【背景技術】
【０００２】
特許文献１の加熱調理器では、トッププレート（プレート）の前縁部に、例えば印刷層により形成された、タッチ入力式（静電容量式）のタッチ入力部が設けられており、トッププレートの下面部分には、電極基板がトッププレートの前縁部の下面に枠状の保持板により保持され取付けられている。この保持板はトッププレートに接着などにより固着されたものである。この電極基板の上面にはタッチ入力部に対向するように検知電極が導体パターンにより形成されていて、タッチ入力部にユーザーの手指が触れると、人体と検知電極とが静電結合することで、制御回路がユーザーによる入力を検出する。
【先行技術文献】
【特許文献】
【０００３】
【特許文献１】特開２００８−１１２６８５号公報
【発明の概要】
【発明が解決しようとする課題】
【０００４】
特許文献１のトッププレートはガラス製であるため、板金部品と異なり、外形寸法のバラツキが大きい。トッププレートに印刷を行うときには、通常、トッププレートを固定した治具の中心と、トッププレートに印刷するための版の中心を一致させた後、トッププレートの印刷を行う。しかし、外形寸法のバラツキの大きいトッププレートの中心と治具の中心は必ずしも一致しないため、治具の中心と版の中心を一致させて印刷しても、トッププレートの中心と版の中心は一致せずトッププレート上の印刷位置にバラツキが生じることが多い。
【０００５】
トッププレートの外形を基準にトッププレートの保持板を接着すると、保持板に固定される電極基板の検知電極の位置と、トッププレートに位置ズレして印刷されたタッチ入力部との間に大きな位置ズレが発生し、ユーザーがタッチ入力部に触れても検知電極から離れた位置を触れていることになるので、検知電極の静電結合が小さくなり、制御回路がユーザーの入力を検出できないことがある。
【０００６】
本発明は、このような課題を解決するものであり、操作表示基板を取付ける作業性を向上させるとともに、プレートを保持部材に貼り付ける時にプレートの印刷と保持部材の位置ズレを無くして、外観のバラツキを減らすことを目的とするものである。
【課題を解決するための手段】
【０００７】
本発明は、上述の課題を解決するためになされたもので、請求項１では、本体と、該本体の上面に設けられたプレートと、該プレートの外周を保護するプレート枠と、前記プレート下面に配置し静電式のタッチキー方式による入力部品を有した操作表示基板と、前記プレートの下面外周を保持し一体で有した支持部で前記操作表示基板を固定する保持部材と、を備えた加熱調理器において、前記プレートには前記入力部品の位置を示す操作部表示と目印とを印刷して設け、前記保持部材には前記目印と位置合わせする所定位置を設け、前記目印は、前記プレート枠で覆われ外観に出ないものである。
【０００８】
また、請求項２では、本体と、該本体の上面に設けられたプレートと、該プレートの外周を保護するプレート枠と、前記プレート下面に配置し点灯する発光部品を有した操作表示基板と、前記プレートの下面外周を保持し一体で有した支持部で前記操作表示基板を固定する保持部材と、を備えた加熱調理器において、前記プレートには前記発光部品の位置を示す発光部表示と目印とを印刷して設け、前記保持部材には前記目印と位置合わせする所定位置を設け、前記目印は、前記プレート枠で覆われ外観に出ないものである。
【発明の効果】
【００１０】
請求項１または請求項２の加熱調理器によれば、保持部材に固定する操作表示基板の入力部品もしくは発光部品と、印刷の操作部表示もしくは発光部表示との位置が正しく合って組立てられるので、作業性が良く、また製品の信頼性が更に安定した。
【００１１】
また、完成した製品から目印が見えないので、製品の外観を損なうことがない。
【図面の簡単な説明】
【００１２】
【図１】一実施例の加熱調理器をシステムキッチンに組込んだ外観斜視図である。
【図２】一実施例の加熱調理器のプレート組を上面から見た外観図である。
【図３】一実施例の加熱調理器のプレート組を下面から見た外観図である。
【図４】一実施例の加熱調理器のプレートを保持部材に固定した図である。
【図５】図４のＡ部の拡大図である。
【図６】図４のＢ部の拡大図である。
【図７】一実施例の加熱調理器の保持部材を上面から見た外観図である。
【図８】一実施例の加熱調理器の操作表示基板を上面から見た外観斜視図である。
【図９】図３のＣ部、Ａ−Ａ断面図である。
【発明を実施するための形態】
【００１３】
以下、本発明の一実施例を図１から図８に従って説明する。
【００１４】
図１は、一実施例の加熱調理器であるクッキングヒータを、システムキッチン１に設置した状態の斜視図を示したものであり、図２は、クッキングヒータのプレート組１４の斜視図を示すものである。
【００１５】
図１において、１はシステムキッチン、２はクッキングヒータの本体で、図ではシステムキッチン１の天板１ａに設けられた開口部からクッキングヒータ本体２を落とし込んで据え付けている状態を示す。３はこの本体２の上面部に配置されるプレートで、耐熱性が高い結晶化ガラスで形成されている。４はプレート３の外周端面を保護するプレート枠である。６は被加熱物である鍋（図示無し）を載置する位置を示す載置部で、この載置部６のプレート３を挟んで前記鍋を誘導加熱する加熱コイルが設置されている。ちなみに、載置部６は、プレート３の上面手前の右に載置部右６ａ、左に載置部左６ｂが配置され、これら両載置部６ａ，６ｂ間の奥（中央後部）に載置部中央６ｃが配置されている。９はプレート３の前側に設けられた上面操作部で、前記鍋を加熱する加熱コイルの火力や加熱時間の設定を行う。１０は上面操作部９の奥側に位置する上面表示部で、上面操作部９にて設定された情報の表示を行う。
【００１６】
７は本体２の後方のバックフレーム２３に設けられた吸気口で、本体２の内部に備わる加熱コイルや加熱コイルに電源を供給するインバータ基板、制御基板内の発熱する電子部品を冷却するのに使用される外気を吸引するところである。８は本体２の後方のバックフレーム２３に設けられた排気口で、吸気口７より吸気された外気が発熱部品である加熱コイルや電子部品を冷却した後の廃熱を本体２外に排出するところである。
【００１７】
１１は魚や肉，ピザ等の被加熱物を焼くオーブンで、１１ａはオーブンのドアである。なお、オーブン１１で発生した排熱も排気口８から排出される。５は主にオーブン１１の調理条件を設定するために設けられた前面操作部である。
【００１８】
図２に示すように、本体２の上面開口部に配置されるプレート組１４は、プレート３と、プレート３の外周を保護するプレート枠４と、プレート３の下面３ａ（図３）外周を保持する保持部材１５（図３）と、プレート３の下面に保持される操作表示基板１７（図３）とで構成される。
【００１９】
プレート枠４は、プレート３の左右の辺を保護するサイドフレーム２１と、プレート３の前辺を保護するフロントフレーム２２と、プレート３の後辺を保護するバックフレーム２３から構成される。なお、サイドフレーム２１はプレート３の右側の辺を保護するサイドフレーム右用とプレート３の左側の辺を保護するサイドフレーム左用があるが、ここではサイドフレーム２１として同じ番号で図示し説明する。更に、サイドフレーム２１は、近年のプレート３上の外観の趣向から、プレート３上に見える幅が細いものが好まれている。それは、例えばプレート３の厚さ４mmに加え、保持部材１５は鋼板の板厚を０.６mmとして、接着剤充填部を考慮し、サイドフレームの鋼板の板厚を０.５mmとすると、サイドフレーム２１の厚さが約８〜９mmで、プレート３に被さる部分の幅は約３〜４mmとなるもので、厚さより幅のほうが細いものになる。
【００２０】
図３は、プレート組１４を裏返して下面を見た図である。プレート組１４はプレート３の下面３ａにプレート３の外周を保持する保持部材１５と、プレート３の外周を保護するプレート枠４と、プレート３の下面３ａの手前に保持される操作表示基板１７とで構成する。プレート３の下面３ａの外周には保持部材１５がシリコン等の接着剤１３（図７）で貼り付けている。
【００２１】
保持部材１５は、図７に示すように鋼板１枚よりプレス加工して作製したものである。保持部材１５の前側縁部１５ａには操作表示基板１７を支持する複数の支持部１５ｃを備えた基板支持部１５ｂを一体に構成している。支持部１５ｃは操作表示基板１７の左右端部を支持する部分と、左右に渡る複数個所（約７箇所）を支えるものである。
【００２２】
図３に示すように、透明ガラスのプレート３の下面３ａには印刷１６が施され、ベース１６ｇで外観を装飾し、且つ、本体２内部の構成部品をプレート３上面から見えないようにしている。また、印刷１６を施さない窓１６ｆを設け、本体２内部に配置する液晶や発光体などによる火力表示などをプレート３上面３ｂから視認できる上面表示部１０を構成する。
【００２３】
図４は、保持部材１５にプレート３を載置して接着剤１３（図７）で固定した上面図である。プレート３の上面１３ｂは、場合により載置部６周囲に鍋の横滑り防止のため直径約１mmのドット柄が印刷されているものがある、ここでは図示を省略する。
【００２４】
図３で示した下面３ａには、載置部６を示す載置部表示１６ｃをベース１６ｇと異なる色で明瞭に印刷される。また、プレート３の手前には、横一列に操作キーの枠と名称などを示す入力部表示１６ｄが配置される。また、入力部表示１６ｄの奥側には、横一列にベース１６ｇと同一色で、部分的に粗くすることにより光の透過性が良い発光部表示１６ｅを設けている。そして、前記載置部表示１６ｃと入力部表示１６ｄと発光部表示１６ｅは上面１３ｂ側より視認できる。
【００２５】
また、印刷１６の縁部１６ａの後縁部１６ａ１と左右縁部１６ａ２には、目印１６ｂがプレート３の略四隅に配置される。この目印１６ｂは、発光部表示１６ｅを印刷するのと同一の版に構成され、プレート３に発光部表示１６ｅを印刷した時に目印１６ｂも同時に印刷される。この目印１６ｂは、保持部材１５を固定する所定位置１５ｅに対応して配置されたものであって、例えば、目印１６ｂの周囲のベース１６ｇから直径約２mmの円の範囲をベース１６ｇの色彩を無くして透明にしたものである。
【００２６】
図５は前記したプレート３奥側の目印１６ｂと固定金具１５の所定位置１５ｅとの位置関係を示している。プレート３の縁部１６ａに設けられた目印１６ｂは、ベース１６ｇの色彩を無くして透明にしたものであり、保持部材１５の所定位置１５ｅである角穴の中央側の端部に位置合わせするものである。
【００２７】
図６は前記したプレート３手前の目印１６ｂと固定金具１５の所定位置１５ｅとの位置関係を示している。プレート３の縁部１６ａ２に設けられた目印１６ｂは、ベース１６ｇの色彩を無くして透明にしたものであり、保持部材１５の所定位置１５ｅである上方への折り曲げ部分の前端部に位置合わせするものである。
【００２８】
図５，図６に示す構成を採用したことより、印刷１６に設けた目印１６ｂと保持部材１５の所定位置１５ｅを基準にプレート３と保持部材１５を貼り付けるだけで、操作表示基板１７（図８）の入力部品１７ｂと印刷１６の操作部表示１６ｄ，発光部品１７ａと印刷１６の発光部表示１６ｅの位置を、容易に一致させることができる。
【００２９】
図７は前記した保持部材１５の上面図で、保持部材１５の周囲には、図示するように略全周に接着剤１３が設けられている。また、保持部材１５は、鋼板１枚を加工して製作したことにより、所定位置１５ｅと、前縁基板固定部１５ｂとの位置関係は、計画どおりにできている。
【００３０】
図８は、操作表示基板１７の斜視図で、横長の２枚で入力部品１７ｂが入力されたことを示す発光部品１７ａが搭載されている。この入力部品１７ｂは、一般に静電式のタッチキー方式による操作部である。発光部品は、約２mm角で厚さ１mm程度のＬＥＤで、小さいが明瞭に光る。操作表示基板１７は、静電式であるが故にプレート３の下面３ａに近づける必要があり、プレート３との距離を安定する必要がある。また、前記したＬＥＤは、小形であるため、前記のプレート３の印刷１６の中で発光部表示１６ｅと一つ一つがきちんと合っている。そのため、操作表示基板１７の外形を成す辺１７ｃと発光部表示１７ａとの寸法が安定している。
【００３１】
図９は、図３のＡＡ断面である。プレート３の側面端部を保護するサイドフレ−ム２１と、プレート３の前面を保護するフロントフレーム２２を配置される。プレート３の上面３ｂは透明で下面３ａに印刷１６により入力表示部１６ｄと発光表示部１６ｅを設けている。プレート３の下面には保持部材１５が接着材１３（図７）により貼り付けられる。保持部材１５の前側縁部１５ａには支持部１５ｃで成す基板固定部１５ｂに、操作表示基板１７が、プレート３と支持部１５ｃとの隙間に嵌合されて固定されている。操作表示基板１７に搭載する発光部品１７ａは、プレート３の発光表示部１６ｅと位置が合っている。また、同時に入力部品１７ｂは、プレート３の入力表示部１６ｄと位置が合っている。
【００３２】
本実施例では、目印１６ｂを基準に保持部材１５の位置合わせができるので、保持部材１５に固定する操作表示基板の入力部品もしくは発光部品と、印刷の操作部表示もしくは発光部表示との位置を正しく合わせて組立てられるのが容易であるで、信頼性の高い製品を、作業性良く作成することができる。
【００３３】
また、完成した製品から目印が見えないので、製品の外観を損なうことがない。
【符号の説明】
【００３４】
２  本体
３  プレート
３ａ  下面
３ｂ  上面
４  プレート枠
１４  プレート組
１５  保持部材
１５ａ  前側縁部
１５ｂ  基板固定部
１５ｃ  支持部
１５ｅ  所定位置
１６  印刷
１６ａ  縁部
１６ｂ  目印
１６ｄ  操作部表示
１６ｅ  発光部表示
１６ｇ  ベース
１７  操作表示基板
１７ａ  発光部品
１７ｂ  入力部品
【図１】
0005439304.tif 000002
【図２】
0005439304.tif 000003
【図３】
0005439304.tif 000004
【図４】
0005439304.tif 000005
【図５】
0005439304.tif 000006
【図６】
0005439304.tif 000007
【図７】
0005439304.tif 000008
【図８】
0005439304.tif 000009
【図９】
0005439304.tif 000010